(57)【特許請求の範囲】
【請求項１】
回路基板に実装されたプラグ（１０）と、別の回路基板に実装されたソケット（２０）を嵌合して相互の回路基板を電気的に接続する基板対基板コネクタであって、
プラグ（１０）のプラグ端子（１２）の保持部（１２ａ）、またはソケット（２０）のソケット端子（２２）の保持部（２２ａ）のどちらか一方には凹部を形成し、他方は凸部を形成し、凹部と凸部が係合することで保持力を持たせる基板対基板コネクタにおいて、
凸部はその突出方向に平行でプラグ端子（１２）の挿抜方向に平行な平面での断面が台形状であり、その高さ（ｔ）と、挿入方向の斜面の傾斜角（θ１）と、抜去方向の斜面の傾斜角（θ２）を、端子の極数に応じて設定し、プラグ（１０）とソケット（２０）の挿入力と保持力を端子の極数に合わせて調整することを特徴とする基板対基板コネクタ。
【発明の詳細な説明】
【技術分野】
【０００１】  本発明は、回路基板に実装され、相手コネクタと嵌合して電気信号を伝達する基板対基板コネクタに関する。
詳しくは、コネクタ同士の嵌合の際の挿入力と、嵌合を解く際の保持力の調整に関する。
【背景技術】
【０００２】  特許文献１には、基板対基板コネクタの少極タイプから多極タイプまで、それぞれの極数に適した嵌合保持力が得られるコネクタ構造が記載され、その嵌合保持力の調整方法として、コンタクトの接触部に段差を設けて、この段差の大きさを変えることで適切な嵌合保持力を得る発明が開示されている。
さらに詳しく説明すると、プラグコンタクト３の接触部３１の平板面は、リセプタクルコンタクト７の接触部７２の屈曲部７２ｂから弾接力を受けていて、段差の通過前後で弾接力の大きさが変わる。
挿入時、段差はリセプタクルコンタクト７の接触部７２の弾性変位量を緩和するように設けてあるので、弾接力は段差の通過によって減少する。
この弾接力が嵌合状態で保持力として作用するので、適切な嵌合保持力は、この段差の調整によって得ることができる。
例えば、上段面に対する下段面の段差を大きく取れば、嵌合保持力は小さくなり、段差を小さく取れば、嵌合保持力は大きくなることが記載されている。
【先行技術文献】
【特許文献】
【０００３】
【特許文献１】特開２００９−２３１０４６号公報
【発明の概要】
【発明が解決しようとする課題】
【０００４】  しかしながら、特許文献１に示された基板対基板コネクタには以下の課題がある。
この基板対基板コネクタの嵌合保持力は、プラグコンタクト３がリセプタクルコンタクト７に嵌合された状態で作用する力であり、凹部３１ｄに、接触点７２ｄ、７２ｄが当接するときに作用する力である。
したがって、接触点７２ｄが凹部３１ｄの段差を摺動することになり、接触部７２ｄの摩耗や変形が生じ、接触信頼性に問題が発生するおそれがある。
特に段差を大きくとる場合は、その問題が発生するリスクがさらに高くなると考えられる。
また、段差の大きさだけを規定するだけでは、嵌合保持力を規定することは難しく、実際には接触部３１の凸部３１ｅと凹部３１ｄとを結ぶ斜面の傾斜角の影響を大きく受けることになる。
つまり、斜面がなだらかであれば、嵌合保持力は小さくなると考えられる。【０００５】  本発明は、上記の点を鑑みてなされたものであり、以下の特徴をもった電気コネクタを提供することを目的とする。
（１）電気的な接続を担う接触部を利用しない嵌合保持力の調整構造
（２）安定した嵌合保持力の確保
【課題を解決するための手段】
【０００６】  回路基板に実装されたプラグ１０と、別の回路基板に実装されたソケット２０を嵌合して相互の回路基板を電気的に接続する基板対基板コネクタであって、
プラグ１０のプラグ端子１２の保持部１２ａ、またはソケット２０のソケット端子２２の保持部２２ａのどちらか一方には凹部を形成し、他方は凸部を形成し、
凹部と凸部が係合することで保持力を持たせる基板対基板コネクタにおいて、
凸部は断面が台形状であり、その高さｔと、挿入方向の斜面の傾斜角θ１と、抜去方向の斜面の傾斜角θ２を変更することで、プラグ１０とソケット２０の挿入力と保持力を端子の極数に合わせて調整する。
【発明の効果】
【０００７】  本発明によれば、以下の基板対基板コネクタが実現できる。
（１）接触部を保持力の調整に使用しないため、接触部の摩耗による接触信頼性に影響を与えることがない。
（２）保持力の調整にコンタクトの弾性を利用しないため、弾性変形などの影響を受けずに安定した保持力を確保できる。
【図面の簡単な説明】
【０００８】
【図１】プラグ１０の斜視図
【図２】ソケット２０の斜視図
【図３】プラグ端子１２
【図４】ソケット端子２２
【図５】凸部２３のタイプ別の寸法設定図
【図６】基板対基板コネクタの嵌合図
【発明を実施するための形態】
【０００９】  実施の形態を、図１〜図６に基づいて説明する。
プラグ１０は図１に示すように、プラグハウジング１１と、複数のプラグ端子１２で構成されている。
プラグ端子１２は図３に示すように銅合金をプレス加工したものである。
プラグ端子１２は回路基板に半田接続するための端子部１２ｃと、端子部１２ｃから直角に立ち上がった保持板部１２ａと、保持板部１２ａをＵターンして形成した接触部１２ｂとからでできている。
保持板部１２ａには深さ０．０２ｍｍの凹部１３が設けられている。
また、保持板部１２ａの表面と凹部１３の段差には４５°の面取りが施されている。
なお、端子部１２ｃと接触部１２ｂには金メッキが施されている。
【００１０】  ソケット２０は図２に示すように、ソケットハウジング２１と、複数のソケット端子２２で構成されている。
ソケット端子２２は図４に示すように銅合金をプレス加工したものである。
ソケット端子２２は回路基板に半田接続するための端子部２２ｃと、端子部２２ｃから直角に立ち上がった固定部２２ｄと、固定部２２ｄをＵターンして形成した保持板部２２ａと、保持板部２２ａをＵターンして形成した接触部２２ｂとからでできている。
接触部２２ｂは片持ち梁状の弾性を有するバネである。
保持板部２２ａには断面が台形状の凸部２３が設けられている。
なお、端子部２２ｃと接触部２２ｂには金メッキが施されている。
【００１１】  一般に基板対基板コネクタは、シリーズ品として端子の極数のレパートリーが取りそろえられ、例えば本実施の形態では１０極の少極タイプから７０極の多極タイプが取りそろえられている。
全ての端子を同じ形状とした場合、多極タイプでは挿入力と保持力は共に重く、少極タイプでは挿入力と保持力は共に軽くなる。
従って、多極タイプでは挿抜作業が困難になり、少極タイプでは保持力不足による嵌合の脱落等の不具合が生じることが考えられる。
【００１２】  この不具合について、本実施の形態ではソケット端子２２の極数に応じて凸部２３の形状が異なる３タイプの端子を用意して対策しており、以下この凸部２３の形状（設定寸法）について図５で説明する。
凸部２３の高さｔと、挿入方向の斜面の傾斜角θ１と、抜去方向の斜面の傾斜角θ２はプレス金型の一部をコマ交換することで変更することができる。
タイプ１の設定寸法は、ｔ（１）＝０．０４ｍｍ、θ１（１）＝５８°、θ２（１）＝２５°である。
タイプ２の設定寸法は、ｔ（２）＝０．０２ｍｍ、θ１（２）＝２５°、θ２（２）＝１５°である。
タイプ３の設定寸法は、ｔ（３）＝０．０１ｍｍ、θ１（３）＝２１°、θ２（３）＝８°である。
なお、高さｔの寸法公差は±０．００５ｍｍ、傾斜角θ１とθ２の寸法公差は±３°である。
【００１３】  タイプ１は高さが高く、斜面の傾斜角が大きいため、挿入力と保持力を大きくすることができる。
タイプ３は高さが低く、斜面の傾斜角も小さいため、挿入力と保持力を小さくすることができる。
タイプ２はタイプ１とタイプ２の概ね中間の挿入力と保持力である。
【００１４】  表１は、ソケット２０の極数ごとに使用する端子２２のタイプを設定したものである。
具体的には、極数が１０極や１４極の少極タイプでは、タイプ１のソケット端子２２を使うことで、基板対基板コネクタのプラグ１０とソケット２０の嵌合の際の挿入力と、嵌合を解く際の保持力を高めに調整することができる。
極数が３２極から７０極の多極タイプでは、タイプ３の端子２２を使うことで、挿入力と保持力を低めに調整することができる。
また、中間の１６極から３０極程度では、タイプ２の端子２２を使うことで、挿入力と保持力を調整することができる。
【００１５】
【表１】
0005637505.tif 000002
【００１６】  本実施の形態では、プラグ端子１２に凹部１３を設け、ソケット端子２２に凸部２３を設けたが、プラグ端子１２に凸部を設け、ソケット端子２２に凹部を設けてもよい。
なお、凹部１３は貫通孔であってもよい。
また、接触部２２ｂに弾性をもつ形状としたが、接触部１２ｂに弾性を持たせてもよい。
【００１７】  図６は基板対基板コネクタのプラグ１０とソケット２０の嵌合状態を示した断面図である。
嵌合状態で凹部１３と凸部２３が係合している。
接触部１２ｂと接触部２２ｂは嵌合時に電気的に接触するが、接触部１２ｂも接触部２２ｂも凹部１３や凸部２３を摺動しないので、接触信頼性に大きな影響を与えることはない。
【符号の説明】
【００１８】１０      プラグ（基板対基板コネクタ）
１１      プラグハウジング
１２      プラグ端子
１２ａ    保持板部
１２ｂ    接触部
１２ｃ    端子部
１３      凹部
２０      ソケット（基板対基板コネクタ）
２１      ソケットハウジング
２２      ソケット端子
２２ａ    保持板部
２２ｂ    接触部
２２ｃ    端子部
２２ｄ    固定部
２３      凸部
【図１】
0005637505.tif 000003
【図２】
0005637505.tif 000004
【図３】
0005637505.tif 000005
【図４】
0005637505.tif 000006
【図５】
0005637505.tif 000007
【図６】
0005637505.tif 000008